(57)【要約】【課題】地震等で地盤が不等沈下を起して建物が傾いたような場合でも、化粧カバーを建物外側から容易に着脱でき、修復作業を効率的に行うことができる建物の基礎構造を提供する。【解決手段】  所定間隔離して配置される複数の独立コンクリート部材２と、独立コンクリート部材２の上部に載置された状態で架設されるＨ形鋼梁３と、Ｈ形鋼梁３の外側に設けられる化粧カバー４とを備え、Ｈ形鋼梁３は、ウエブ３３に対して略直交方向に延在し、上下のフランジ間３１，３２に接合されるスチフナー３４が設けられており、化粧カバー４は、スチフナーに固定される取付部材８に着脱自在に取り付けられる建物の基礎構造１。【選択図】図２
2015030996.tif 000002
【特許請求の範囲】
【請求項１】
所定間隔離して配置される複数の独立コンクリート部材と、
前記独立コンクリート部材の上部に載置された状態で架設されるＨ形鋼梁と、
前記Ｈ形鋼梁の外側に設けられる化粧カバーと、を備える建物の基礎構造であって、
前記Ｈ形鋼梁は、ウエブに対して略直交方向に延在し、上下のフランジ間に接合されるスチフナーが設けられており、
前記化粧カバーは、前記スチフナーに固定される取付部材に着脱自在に取り付けられることを特徴とする建物の基礎構造。
【請求項２】
前記取付部材は、前記スチフナーに着脱自在に固定される固定部と、上部に前記化粧カバーの上部をビス止めするためのビス孔が形成され、下部に前記化粧カバーの下端を受けるための受け片が形成されている支持部と、を備えていることを特徴とする請求項１に記載の建物の基礎構造。
【請求項３】
前記化粧カバーは、幅方向の端部から内側に延設された折曲部を有しており、
前記取付部材は、隣接して設けられる前記化粧カバーの前記折曲部をそれぞれ収納する凹部を有しており、該凹部の両側に前記支持部がそれぞれ設けられていることを特徴とする請求項２に記載の建物の基礎構造。
【請求項４】
前記化粧カバーの上方に水切りが設けられていることを特徴とする請求項１乃至３のいずれかに記載の建物の基礎構造。
【発明の詳細な説明】
【技術分野】
【０００１】
本発明は、基礎の外側に化粧カバーを備える建物の基礎構造に関する。
【背景技術】
【０００２】
従来から、建物の基礎構造としては、例えば、布基礎やベタ基礎等が一般的に知られている。これらの基礎は、現場で打設されたコンクリートが乾くまでの養生期間等を設ける必要があるため、工期を短くすることが難しい。また、これらの基礎では、鉄筋コンクリートを連続して設けているため、比較的多くの量のコンクリートが必要となる。
【０００３】
一方、特許文献１では、建物の基礎構造として、施工手間を減らし施工期間を短縮するため、工場にてベース部と、そのベース部の中央に立設される立ち上がり部とをプレキャストコンクリートで形成した独立基礎を用いることが開示されている。この特許文献１の基礎構造では、美観を向上させるために、独立基礎の立ち上がり部の側面に化粧板受けが設けられており、この化粧板受けに化粧板が装着されることにより基礎の側面が覆われている。
【０００４】
また、特許文献２では、隣接する独立基礎の束間に基礎梁を架設した基礎構造が開示されている。この特許文献２の基礎構造では、基礎梁のウエブに化粧パネルを受けるための受け部材が固定されている。そして、化粧パネルには、基礎梁側の面に受け部材に支持される支持部材が固定されており、この支持部材が受け部材に係合し、接合されることによって、化粧パネルが基礎梁に対して着脱自在に接続されるようになっている。
【先行技術文献】
【特許文献】
【０００５】
【特許文献１】特開平０７−０９１０４０号公報
【特許文献２】特開平０８−１９９５８８号公報
【発明の概要】
【発明が解決しようとする課題】
【０００６】
しかしながら、特許文献１の基礎構造では、化粧板を立ち上がり部の側面に設けた化粧板受けに装着する際、化粧板は化粧板受けに対して鉛直下向きに挿入されることにより装着される。そのため、化粧板受けから化粧板を取り外す場合には、化粧板を鉛直上向きに引き出す必要があるため、建物の施工後には化粧板を容易に取り外すことができず、地震等により地盤が不等沈下を起して建物が傾いたような場合に、修復作業を行うことが困難である。
【０００７】
また、特許文献２の基礎構造では、化粧パネルを取り付けるために、基礎梁のウエブに化粧パネルを受けるための受け部材を固定し、化粧パネルにも受け部材に支持されるための支持部材を固定する必要があるため、化粧パネルを取り付けるための部材が増えると共に、化粧パネルの取り付けに要する手間が増える。また、特許文献２の基礎構造では、隣接する独立基礎の束間に基礎梁が架設されており、地中に位置する独立基礎の束の底面にレベル調整を行うベースプレートが接合されている。そのため、施工後、ベースプレートは地中に位置するため、地震等により地盤が不等沈下を起して建物が傾いた場合に、化粧パネルを取り外したとしても容易に修復作業を行うことができない。
【０００８】
本発明は、上記のような課題に鑑みてなされたものであって、地震等で地盤が不等沈下を起して建物が傾いたような場合でも、化粧カバーを建物外側から容易に着脱でき、修復作業を効率的に行うことができる建物の基礎構造を提供することを目的とする。
【課題を解決するための手段】
【０００９】
上記目的を達成するために、請求項１に記載の建物の基礎構造は、所定間隔離して配置される複数の独立コンクリート部材と、前記独立コンクリート部材の上部に載置された状態で架設されるＨ形鋼梁と、前記Ｈ形鋼梁の外側に設けられる化粧カバーと、を備える建物の基礎構造であって、前記Ｈ形鋼梁は、ウエブに対して略直交方向に延在し、上下のフランジ間に接合されるスチフナーが設けられており、前記化粧カバーは、前記スチフナーに固定される取付部材に着脱自在に取り付けられることを特徴としている。
【００１０】
請求項２に記載の建物の基礎構造は、前記取付部材が、前記スチフナーに着脱自在に固定される固定部と、上部に前記化粧カバーの上部をビス止めするためのビス孔が形成され、下部に前記化粧カバーの下端を受けるための受け片が形成されている支持部と、を備えていることを特徴としている。
【００１１】
請求項３に記載の建物の基礎構造は、前記化粧カバーが、幅方向の端部から内側に延設された折曲部を有しており、前記取付部材は、隣接して設けられる前記化粧カバーの前記折曲部をそれぞれ収納する凹部を有しており、該凹部の両側に前記支持部がそれぞれ設けられていることを特徴としている。
【００１２】
請求項４に記載の建物の基礎構造は、前記化粧カバーの上方に水切りが設けられていることを特徴としている。
【発明の効果】
【００１３】
請求項１に記載の建物の基礎構造によれば、所定間隔離して配置される複数の独立コンクリート部材の上部に載置された状態で架設されるＨ形鋼梁には、ウエブに対して略直交方向に延在し、上下のフランジ間に接合されるスチフナーが設けられており、化粧カバーは、このスチフナーに固定される取付部材に着脱自在に取り付けられているので、地震等で地盤が不等沈下を起して建物が傾いたような場合でも、化粧カバーを建物外側から容易に着脱でき、Ｈ形鋼梁をジャッキアップして、独立コンクリート部材の上部とＨ型鋼梁の下フランジの間に不等沈下の程度に応じた厚みの隙間プレートを挟み込むことで修復を行うことができる。これにより、修復作業の効率を向上させることができると共に、修復作業に掛かるコストも軽減することができる。
【００１４】
請求項２に記載の建物の基礎構造によれば、取付部材は、スチフナーに着脱自在に固定される固定部と、上部に化粧カバーの上部をビス止めするためのビス孔が形成され、下部に化粧カバーの下端を受けるための受け片が形成されている支持部とを備えているので、容易に安定した状態で化粧カバーを取り付けることができる。また、取付部材から化粧カバーを取り外す際も、上部のビスを外せば、下端を受け片から出すだけで良いので、建物の外側から容易且つ効率的に取り外すことができる。
【００１５】
請求項３に記載の建物の基礎構造によれば、化粧カバーは、幅方向の端部から内側に延設された折曲部を有しており、取付部材は、隣接して設けられる化粧カバーの折曲部をそれぞれ収納する凹部を有しており、この凹部の両側に支持部がそれぞれ設けられているので、化粧カバーの折曲部を凹部に挿入することで容易に位置を合わせて取り付けることができる。
【００１６】
請求項４に記載の建物の基礎構造によれば、前記化粧カバーの上方に水切りが設けられているので、Ｈ形鋼梁と該Ｈ形鋼梁上に設けられる土台等との間に雨水等が浸入するのを防止することができる。また、地震等で地盤が不等沈下を起して建物が傾いたような場合でも、水切りを取り外すことなく、化粧カバーを建物外側から容易に着脱して、修復作業を行うことができる。
【図面の簡単な説明】
【００１７】
【図１】本発明に係る建物の基礎構造の一例を示す概略正面図である。
【図２】本発明に係る建物の基礎構造の一例を示す概略側面断面図である。
【図３】化粧カバーを取り付ける前の状態の基礎構造を示す概略正面図である。
【図４】化粧カバーを取り付ける前の状態の基礎構造を示す概略平面図である。
【図５】図２のＡ−Ａ線断面図である。
【図６】本発明に係る建物の基礎構造の一例を示す一部拡大正面図である。
【図７】取付金具の一例を説明するための概略図であって、（ａ）は取付金具の概略正面図であり、（ｂ）は取付金具の概略側面図である。
【図８】取付金具の一例を示す概略平面図である。
【発明を実施するための形態】
【００１８】
以下、本発明に係る建物の基礎構造の実施形態について、図面を参照しつつ説明する。本発明に係る基礎構造１は、図１及び図２に示すように、所定間隔離して配置される複数の独立コンクリート部材２と、独立コンクリート部材２の上部に架設されるＨ形鋼梁３と、Ｈ形鋼梁３の外側に設けられる化粧カバー４とを備えている。
【００１９】
独立コンクリート部材２は、例えば、予め工場等において鉄筋やアンカーボルト５が埋設されて形成されるコンクリート製のブロックであって、図３及び図４に示すように、略直方体状のベース部２１と、該ベース部２１の中央に立設される略四角柱状の立ち上がり部２２とが共にプレキャストコンクリートで一体形成されている。この独立コンクリート部材２は、建築現場において所定の位置に複数配置され、ベース部２１は、地盤に埋設される。また、立ち上がり部２２の上面からは、アンカーボルト５が突出している。
【００２０】
Ｈ形鋼梁３は、図２及び図３に示すように、独立コンクリート部材２の上部に位置する立ち上がり部２２の上面に載置された状態で架設されるものであって、上下一対のフランジ３１，３２と、これら一対のフランジ３１，３２を連結するウエブ３３とを有している。下フランジ３２には、アンカーボルト孔３２ａが形成されており、このアンカーボルト孔３２ａと立ち上がり部２２の上面から突出するアンカーボルト５とが接合されることにより、Ｈ形鋼梁３は独立コンクリート部材２上に架設される。また、詳しくは図示しないが、立ち上がり部２２の上面と下フランジ３２の下面の間には、基礎のレベル調整を行うための板状の隙間プレートが挟み込まれている。この隙間プレートには、例えば、アンカーボルト５を挿通することができる程度のスリットが形成されており、立ち上がり部２２の上面と下フランジ３２の下面の間に、必要に応じた厚みの隙間プレートを挟み込むことにより、Ｈ形鋼梁３の高さを自由に調整することができる。また、Ｈ形鋼梁３の上フランジ３１の上面には、図２に示すように、土台パッキン６を介して木製の土台７が配置されており、この土台７に構造柱や床梁等が接合されることにより建物が施工される。
【００２１】
Ｈ形鋼梁３のウエブ３３の両側には、図２及び図４に示すように、それぞれ上下のフランジ３１，３２間で挟まれる部分を塞ぐようにスチフナー３４が設けられている。このスチフナー３４は、ウエブ３３に対して略直交方向に延在しており、ウエブ３３及び上下フランジ３１，３２にそれぞれ溶接されている。スチフナー３４は、図３及び図４に示すように、独立コンクリート部材２の立ち上がり部２２の上方に位置するように、ウエブ３３の長尺方向に所定の間隔離して複数設けられており、そのスチフナー３４の間にも同様の形状のスチフナー３４ａがそれぞれ設けられている。また、スチフナー３４，３４ａには、取付金具８を着脱自在に固定するためのボルト９を挿通するボルト孔３５が形成されている。
【００２２】
取付金具８は、Ｈ形鋼梁３の外側に化粧カバー４を取り付けるための部材であって、図７及び図８に示すように、スチフナー３４に固定される固定部８１と、断面コ字状に形成された凹部８２と、該凹部８２の両側に連続して設けられる一対の支持部８３とを備えている。
【００２３】
固定部８１は、図７（ｂ）に示すように、ボルト９によってスチフナー３４に固定するためのボルト孔８４が形成されており、Ｈ形鋼梁３のウエブ３３と直交した状態でスチフナー３４に固定されるように、支持部８３に対して直交方向に延設されている。取付金具８をＨ形鋼梁３に固定する際には、図２及び図５に示すように、固定部８１のボルト孔８４の位置をスチフナー３４のボルト孔３５に合わせた状態で、ボルト９を固定部８１側から挿入してナット１０と締結することによりスチフナー３４に固定する。
【００２４】
支持部８３は、図７に示すように、上部に化粧カバー４の上部をビス止めするためのビス孔８５が形成されており、下部には化粧カバー４の下端を受けるための受け片８６が形成されている。化粧カバー４は、例えば、サイディング材等で構成されるものであって、図５に示すように、幅方向の端部から内側に延設された折曲部４１を有している。また、化粧カバー４の両端側の上部には、図２に示すように、取付金具８にビス止めするためのビス孔４２が形成されている。
【００２５】
この化粧カバー４を取付金具８を介してＨ形鋼梁３に取り付ける際には、折曲部４１を凹部８２に挿入し、化粧カバー４の下端を一方の支持部８３の受け片８６に掛けて、化粧カバー４に形成されているビス孔４２を取付金具８の上部に形成されているビス孔８５とを合わせた状態で、外側からビス１１を用いてビス止めすることにより、図６に示すように取り付けることができる。また、受け片８６によって支持されている化粧カバー４の下端は、図１及び図２に示すように、施工後は地盤面ＧＬよりも下に位置する。尚、凹部８２には、隣接する化粧カバー４のそれぞれの折曲部４１が収納できるようになっており、１つの取付金具８によって隣接する化粧カバー４のそれぞれの端部を支持できるようになっている。また、化粧カバー４の上方には、図２に示すように、水切り１２が土台７の前面に取り付けられて設けられており、Ｈ形鋼梁３と土台７との間等に雨水等が浸入するのを防止している。
【００２６】
化粧カバー４を取り外す際は、化粧カバー４の上部のビス１１を外してから、下端を受け片８６から出すだけで良いので、化粧カバー４の上方に設けられている水切り１２等を取り外すことなく、施工後でも建物の外側から容易に取り外すことができる。従って、本実施形態に掛かる基礎構造１では、地震等で地盤が不等沈下を起して建物が傾いたような場合でも、化粧カバー４を建物の外側から容易に取り外して、Ｈ形鋼梁３をジャッキアップして、立ち上がり部２２の上面とＨ型鋼梁３の下フランジ３２の間に不等沈下の程度に応じた厚みの隙間プレートを追加することで効率良く修復作業を行うことができる。
【００２７】
尚、本発明の実施の形態は上述の形態に限ることなく、本発明の思想の範囲を逸脱しない範囲で適宜変更することができる。
【産業上の利用可能性】
【００２８】
本発明に係る建物の基礎構造は、被災地等の地震が頻発するとされている地域や液状化現象の発生が懸念されている地域等の不等沈下が起こり易い地域における建物の基礎構造として特に有効に利用することができる。
【符号の説明】
【００２９】
１        基礎構造
２        独立コンクリート部材
２１      ベース部
２２      立ち上がり部
３        Ｈ形鋼梁
３１      上フランジ
３２      下フランジ
３３      ウエブ
３４      スチフナー
４        化粧カバー
８        取付金具（取付部材）
８１      固定部
８２      凹部
８３      支持部
８５      ビス孔
８６      受け片
１２      水切り
【図１】
2015030996.tif 000003
【図２】
2015030996.tif 000004
【図３】
2015030996.tif 000005
【図４】
2015030996.tif 000006
【図５】
2015030996.tif 000007
【図６】
2015030996.tif 000008
【図７】
2015030996.tif 000009
【図８】
2015030996.tif 000010